(57)【要約】【課題】女性、子供、高齢者であっても上下二段の何れにも二輪車を簡単に出し入れできる駐輪装置を提供する。【解決手段】駐輪装置１０は、３つの上下方向移動用パレット１２と、２つの横方向移動用パレット１４を備える。各上下移動用パレット１２および横方向移動用パレット１４には二輪車を起立させる複数の二輪車起立用部材１６が設けられている。各横方向移動用パレット１４は、支持手段１８により、二輪車の収納取り出しが行える下段位置において横方向に移動可能に支持されている。各上下方向移動用パレット１２は、昇降手段２０により、横方向移動用パレット１４の二輪車起立用部材１６に起立された二輪車の上方に退避する上段位置と、前記下段位置とに昇降される。【選択図】        図５
2004203334.tif 000002
【特許請求の範囲】
【請求項１】
縦辺と、この縦辺よりも大きい横辺とから平面視矩形に形成され、前記横辺が一直線上に位置し相互に縦辺が近接するように配置された複数の上下方向移動用パレットと、
縦辺と、この縦辺よりも大きい横辺とから平面視矩形に形成されて前記上下方向移動用パレットの数よりも少なくとも１つ少ない数で設けられ、前記横辺が一直線上に位置するように、かつ平面視した場合、前記上下方向移動用パレットの下方で該上下方向移動用パレットのほぼ輪郭内に入るように配置された複数の横方向移動用パレットと、
前記複数の上下移動用パレットおよび複数の横方向移動用パレットのそれぞれに前記横辺の延在方向に並べられて配置され二輪車の前後方向を前記縦辺に平行させて該二輪車を起立させる複数の二輪車起立用部材と、
前記複数の横方向移動用パレットを、二輪車の収納取り出しが行える下段位置において、夫々個別に前記横辺の延在方向に移動可能に支持する支持手段と、
複数の上下方向移動用パレットを夫々個別に、前記横方向移動用パレットの二輪車起立用部材に起立された二輪車の上方に退避する上段位置と、前記下段位置とに昇降させる昇降手段と、
を備えることを特徴とする駐輪装置。
【請求項２】
前記昇降用パレットの横辺と、下段パレットの横辺とは、ほぼ等しい寸法で形成されていることを特徴とする請求項１記載の駐輪装置。
【請求項３】
前記駐輪装置は、該駐輪装置の地盤近傍において前記横辺に平行して延在するように設置されたレールを有し、前記横方向移動用パレットは、前記レールに滑動可能に結合されたスライダーを有し、前記横方向移動用パレットは、前記レールに前記スライダーが結合された状態で前記下段位置となり、前記上下方向移動用パレットは、前記レールに載置された状態で前記下段位置となるように構成されていることを特徴とする請求項１記載の駐輪装置。
【請求項４】
前記複数の二輪車起立用部材は、前記複数の上下移動用パレットおよび複数の横方向移動用パレット上において前記横辺の延在方向にスライド可能に設けられていることを特徴とする請求項１記載の駐輪装置。
【発明の詳細な説明】
【０００１】
【発明の属する技術分野】
本発明は自転車などの二輪車を収容する２段式の駐輪装置に関する。
【０００２】
【従来の技術】
限られたスペース内に、多数の自転車を収容するため、２段式の駐輪装置が提供されている。
この種の従来の駐輪装置は、自転車を起立させる二輪車起立用部材が上下２段に多数設けられて構成されている。
そして、この種の駐輪装置では、上段に自転車を収容する場合、上段の二輪車起立用部材を引き出したのち下方に揺動させ、この状態で自転車を二輪車起立用部材に載せて起立させ、その後、二輪車起立用部材を上方に揺動させ元の位置に押し込む操作を行わなければならない。
【０００３】
【発明が解決しようとする課題】
そのため、上段の二輪車起立用部材の引き出しや押し込み、上下揺動の操作は面倒で、また、力を要するため、女性、子供、高齢者には使いづらく、利用率が極端に落ちているのが現状である。
本発明は前記事情に鑑み案出されたものであって、本発明の目的は、上下二段の何れにも簡単に出し入れできる駐輪装置を提供することにある。
【０００４】
【課題を解決するための手段】
前記目的を達成するため本発明は、縦辺と、この縦辺よりも大きい横辺とから平面視矩形に形成され、前記横辺が一直線上に位置し相互に縦辺が近接するように配置された複数の上下方向移動用パレットと、縦辺と、この縦辺よりも大きい横辺とから平面視矩形に形成されて前記上下方向移動用パレットの数よりも少なくとも１つ少ない数で設けられ、前記横辺が一直線上に位置するように、かつ平面視した場合、前記上下方向移動用パレットの下方で該上下方向移動用パレットのほぼ輪郭内に入るように配置された複数の横方向移動用パレットと、前記複数の上下移動用パレットおよび複数の横方向移動用パレットのそれぞれに前記横辺の延在方向に並べられて配置され二輪車の前後方向を前記縦辺に平行させて該二輪車を起立させる複数の二輪車起立用部材と、前記複数の横方向移動用パレットを、二輪車の収納取り出しが行える下段位置において、夫々個別に前記横辺の延在方向に移動可能に支持する支持手段と、複数の上下方向移動用パレットを夫々個別に、前記横方向移動用パレットの二輪車起立用部材に起立された二輪車の上方に退避する上段位置と、前記下段位置とに昇降させる昇降手段とを備えることを特徴とする。
【０００５】
本発明では、横方向移動用パレットの二輪車起立用部材に対しては、横方向移動用パレットは常に下段位置に位置しているので、横方向移動用パレットが横方向の何れに位置していても二輪車の出し入れが行なわれる。
また、上下方向移動用パレットの二輪車起立用部材に対しては、この上下方向移動用パレットの下方に位置する横方向移動用パレットを横方向に移動させてスペースを作り、このスペースに上下方向移動用パレットを下降させて下段位置とし、二輪車の出し入れが行なわれる。
【０００６】
【発明の実施の形態】
以下、本発明の実施の形態について図面を参照して説明する。
図１は駐輪装置の側面図、図２は駐輪装置の正面図、図３は駐輪装置の概略平面図である。また、図４は上段位置に位置する上下方向移動用パレットと横方向移動用パレットの関係を示す側面図、図５は上段位置に位置する上下方向移動用パレットと横方向移動用パレットの関係を示す正面図、図６は一つの上下方向移動用パレットが下段位置に位置した状態の側面図、図７は一つの上下方向移動用パレットが下段位置に位置した状態の横方向移動用パレットとの関係を示す正面図である。
駐輪装置１０は、二輪車として自転車Ｂを収容するもので、３つの上下方向移動用パレット１２（１２Ａ、１２Ｂ、１２Ｃ）と、２つの横方向移動用パレット１４（１４Ａ、１４Ｂ）と、各上下移動用パレット１２および横方向移動用パレット１４に設けられた多数の二輪車起立用部材１６と、横方向移動用パレット１４の支持手段１８と、上下方向移動用パレット１２の昇降手段２０と、屋根１００２などを含んで構成されている。
【０００７】
前記上下方向移動用パレット１２は、縦辺と、この縦辺よりも大きい横辺とから平面視矩形に形成されている。そして、図３に示すように、前記横辺が一直線上に位置し相互に縦辺が近接するように配置されている。
前記横方向移動用パレット１４は、前記上下方向移動用パレット１２とほぼ同じ寸法の縦辺と横辺を有して平面視矩形に形成されている。そして、前記横方向移動用パレット１４は、前記横辺が一直線上に位置するように、かつ平面視した場合、前記上下方向移動用パレット１２の下方で該上下方向移動用パレット１２のほぼ輪郭内に入るように配置されている。
なお、上下方向移動用パレット１２や横方向移動用パレット１４は、例えば、縦辺や横辺にＨ型やＬ型の鋼材を用い、その上に板材などを取り付けることで構成されている。
【０００８】
前記二輪車起立用部材１６は、図１、図２に示すように、各上下移動用パレット１２および横方向移動用パレット１４のそれぞれに前記横辺の延在方向に並べられて設けられている。
前記二輪車起立用部材１６は、前後方向を前記縦辺に平行させて自転車Ｂを起立させ保持させるものであり、ロッド材あるいはチャンネル材、アングル材などから形成され、収容するときには自転車Ｂの前輪を二輪車起立用部材１６の後部に載せて単に押し込み、取り出すときには自転車Ｂの後部を単に引き出す方式のものなど、従来公知の様々な構成のものを採用可能である。
前記二輪車起立用部材１６は、図３に示すように、ハンドルが干渉しないように、隣り合う自転車Ｂの前部または後部が前後方向に交互に凹凸となるように配置されている。本実施の形態では、各上下移動用パレット１２および横方向移動用パレット１４の一方の横辺側が自転車Ｂの出し入れ口１０Ａとなっており、図３に矢印で示す方向に自転車Ｂが出し入れされる。
また、前記二輪車起立用部材１６は、図８に示すように、各上下移動用パレット１２および横方向移動用パレット１４上において、前記横辺に平行して延在するスライダー２２上に設けられ、隣に位置する自転車Ｂを横方向に簡単に移動させ、自転車Ｂの出し入れを簡単に行えるようにしてある。
本実施の形態では、各上下移動用パレット１２および横方向移動用パレット１４にそれぞれ２０台の自転車Ｂが収容できるように二輪車起立用部材１６が設けられている。なお、各パレット１２、１４への自転車Ｂの収容台数は１０台であっても２０台であってもよく、縦辺の長さにより決定される。
【０００９】
前記２つの横方向移動用パレット１４は、下段位置において前記支持手段１８により夫々個別に横辺の延在方向に移動可能に支持されている。
前記下段位置は、自転車Ｂの収納取り出しが行える位置であり、下段位置は駐輪装置１０の周囲の地表面あるいはフロアーに近い位置である。本実施の形態では、図１、図２に示すように、駐輪装置１０は、地盤に設けられた平面視矩形の基礎コンクリート部２４を備え、この基礎コンクリート部２４に横方向に延在する２本のレール２６が埋め込まれている。
そして、前記２つの横方向移動用パレット１４は、スライダー２８を介して前記レール２６に移動可能に結合されている。したがって、前記２つの横方向移動用パレット１４を下段位置において夫々個別に横辺の延在方向に移動可能に支持する支持手段１８が、本実施の形態では、前記レール２６とスライダー２８により構成され、横方向移動用パレット１４に多数の自転車Ｂが起立保持された状態でも、横方向移動用パレット１４を女性や子供が簡単に横方向に移動できるように構成されている。
なお、図２、図５に示すように、あるいは、図９（Ｂ）、（Ｃ）に示すように、上下移動用パレット１２の直下の位置において、女性や子供、高齢者が押せば動く出す程度の力で横方向移動用パレット１４を係止させておく係止手段を設けてもよい。
また、横方向移動用パレット１４を利用者の手操作で移動させずに、モータなどを用いて自動的に移動させるようにしてもよい。
【００１０】
前記３つの上下方向移動用パレット１２は、前記昇降手段２０により前記下段位置と上段位置との間で個別に上下に昇降され、下段位置では、図６、図７に左側の上下方向移動用パレット１２Ａで示すように、上下方向移動用パレット１２が前記レール２６上に載置され、一方の縦辺が横方向移動用パレット１４の縦辺に近接すると共に、その上面が横方向移動用パレット１４の上面とほぼ同一面上に位置するように構成されている。
前記上段位置は、図１、図２に示すように、少なくとも前記横方向移動用パレット１４の二輪車起立用部材１６により起立された自転車Ｂの上方の離れた箇所に上下方向移動用パレット１２が退避する位置である。この場合、二輪車起立用部材１６として、収容するときには自転車Ｂの前輪を二輪車起立用部材１６の後部に載せて単に押し込み、取り出すときには自転車Ｂの後部を単に引き出す方式のような出し入れ口１０Ａ側から自転車Ｂを簡単に出し入れできるものを採用する場合には、前記上段位置を、多少かがみ込んで上下方向移動用パレット１２の下方に入り込める程度の高さとすれば自転車を出し入れする際により便利となる。なお、上段位置を前記横方向移動用パレット１４の二輪車起立用部材１６により起立された自転車Ｂの上方の離れた箇所で、かつ、前記横方向移動用パレット１４上に立った人の背よりも十分に高く上下方向移動用パレット１２の下方において自転車Ｂの出し入れの際に利用者がかがみ込まない高さに設定することは無論構わない。
【００１１】
前記昇降手段２０は、本実施の形態では、３つの上下方向移動用パレット１２毎に夫々設けられている。
図４、図５に示すように、各昇降手段２０は、上下方向移動用パレット１２の左右両側に位置するように基礎コンクリート部２４から立設された支柱３０と、一方の支柱３０の上端に設けられた減速機付きモータ３２と、両支柱３０の上端間に掛け渡され前記減速機付きモータ３２の動力により回転駆動される駆動軸３４と、両支柱３０の下端間に掛け渡された回転可能な従動軸３６と、駆動軸３４の長手方向両側と従動軸３６の長手方向両側とにそれぞれ固設されたスプロケット３８と、対応する駆動軸３４のスプロケット３８と従動軸３６のスプロケット３８とに巻回されたチェーン４０と、上下方向移動用パレット１２の両側から立設され前記チェーン４０に結合された支柱４２などで構成されている。
前記昇降手段２０の制御、すなわち、減速機付きモータ３２の制御は、例えば、適宜箇所に設けた操作ボックスの操作パネルの操作によりなされ、下方に人や物があるときにはこれを検知して、上下方向移動用パレット１２の下降を止めるなどの安全装置が無論設けられている。
【００１２】
次に、駐輪装置の使用方法について説明する。
まず、図５に示すように、３つの上下方向移動用パレット１２が上段位置に位置し、２つの横方向移動用パレット１４が縦辺を近接させて右側に寄っている場合から説明する。
この状態で、２つの横方向移動用パレット１４の二輪車起立用部材１６に対して出し入れ口１０Ａから自転車Ｂの出し入れが行なわれる。
また、この状態から左側の上下方向移動用パレット１２Ａの二輪車起立用部材１６に対して自転車Ｂを出し入れするには、図６、図７、図９（Ａ）に示すように、左側の上下方向移動用パレット１２Ａの下方にはスペースが空いているので、昇降手段２０により左側の上下方向移動用パレット１２Ａを上段位置から下段位置に下降させ、上下方向移動用パレット１２Ａの二輪車起立用部材１６に対して出し入れ口１０Ａから自転車Ｂの出し入れが行なわれる。
【００１３】
つぎに、真ん中の上下方向移動用パレット１２Ｂの二輪車起立用部材１６に対して自転車Ｂを出し入れするには、図９（Ｂ）に示すように、左側の横方向移動用パレット１４Ａを左側に移動させ、真ん中の上下方向移動用パレット１２Ｂの下方にスペースを作り、昇降手段２０により真ん中の上下方向移動用パレット１２Ｂを上段位置から下段位置に下降させ、上下方向移動用パレット１２Ｂの二輪車起立用部材１６に対して出し入れ口１０Ａから自転車Ｂの出し入れが行なわれる。
さらに、右側の上下方向移動用パレット１２Ｃの二輪車起立用部材１６に対して自転車Ｂを出し入れするには、図９（Ｃ）に示すように、２つの横方向移動用パレット１４Ａ、１４Ｂを左側に移動させ、右側の上下方向移動用パレット１２Ｃの下方にスペースを作り、昇降手段２０により右側の上下方向移動用パレット１２Ｃを上段位置から下段位置に下降させ、上下方向移動用パレット１２Ｃの二輪車起立用部材１６に対して出し入れ口１０Ａから自転車Ｂの出し入れが行なわれる。
【００１４】
したがって、本実施の形態によれば、従来のように、上段の二輪車起立用部材の引き出しや押し込む面倒な操作がなくなり、女性や子供、高齢者であっても上側に位置する二輪車起立用部材１６に対して自転車Ｂの出し入れを簡単に行えるようになる。
したがって、自転車収容スペースの何処の箇所に対しても利用される使い勝手のよい駐輪装置１０が得られ、マンションや駅前の駐輪場などに用いられて好適である。
【００１５】
なお、本実施の形態では、自転車Ｂを対象とした駐輪装置について説明したが、本発明の駐輪装置は自動二輪車にも無論適用される。
また、本実施の形態では、上下方向移動用パレット１２を３つ、横方向移動用パレット１４を２つ設けた場合について説明したが、上下方向移動用パレット１２を２つとし横方向移動用パレット１４を１つとしてもよく、あるいは、Ｎを３以上の整数として上下方向移動用パレット１２をＮ個とし横方向移動用パレット１４を（Ｎ−１）個としてもよく、あるいは、Ｎが大きな整数の場合には、上下方向移動用パレット１２をＮ個とし横方向移動用パレット１４を（Ｎ−２）個や（Ｎ−３）個、（Ｎ−４）個としてもよく、それらの個数は限定されない。
【００１６】
【発明の効果】
以上の説明で明らかなように本発明によれば、女性、子供、高齢者であっても上下二段の何れにも二輪車を簡単に出し入れできる駐輪装置が得られる。
【図面の簡単な説明】
【図１】駐輪装置の側面図である。
【図２】駐輪装置の正面図である。
【図３】駐輪装置の概略平面図である。
【図４】上段位置に位置する上下方向移動用パレットと横方向移動用パレットの関係を示す側面図である。
【図５】上段位置に位置する上下方向移動用パレットと横方向移動用パレットの関係を示す正面図である。
【図６】一つの上下方向移動用パレットが下段位置に位置した状態の側面図である。
【図７】一つの上下方向移動用パレットが下段位置に位置した状態の横方向移動用パレットとの関係を示す正面図である。
【図８】上下方向移動用パレットおよび横方向移動用パレットの平面図である。
【図９】上下方向移動用パレットの昇降の説明図である。
【符号の説明】
１０  駐輪装置
１２  上下方向移動用パレット
１４  横方向移動用パレット
１６  二輪車起立用部材
１８  支持手段
２０  昇降手段
【図１】
2004203334.tif 000003
【図２】
2004203334.tif 000004
【図３】
2004203334.tif 000005
【図４】
2004203334.tif 000006
【図５】
2004203334.tif 000007
【図６】
2004203334.tif 000008
【図７】
2004203334.tif 000009
【図８】
2004203334.tif 000010
【図９】
2004203334.tif 000011